(57)【要約】【課題】モバイル端末を携行しなくてもナビゲーションの対象となる所望の地域及び施設をゲーム感覚で楽しみながら回遊できるとともに、情報提供側の意思を利用者の回遊順路に反映可能なナビゲーションシステム及びナビゲーションシステム用プログラムを提供する。【解決手段】観光ナビゲーションシステム１は、コンピュータ本体１１、並びにコンピュータ本体１１に接続されたＩＣカードリーダ１２及びスピーカ１３を備えており、観光地の各地点に設置されている。ここで、この観光地を回遊する利用者ｕは、ＩＣカード２を携行しつつ各地点を訪れ、各地点で観光ナビゲーションシステム１にＩＣカード２を読み取らせる。これにより、観光ナビゲーションシステム１は、各地点間の移動容易性を示す重み値を用いた所定のアルゴリズムに従って次に訪れる地点を決定し、利用者ｕに次に訪れる地点のヒント情報を提供する。【選択図】図１
2005293498.tif 000002
【特許請求の範囲】
【請求項１】
所定の地域又は施設における複数の地点それぞれに設置され、該複数の地点を回遊する利用者に指示を与えるナビゲーションシステムであって、
各地点間の移動容易性を示す重み値をそれぞれ記憶する地点間情報記憶手段と、
自地点からの移動が、予め定められた閾値より容易である地点を、前記地点間情報記憶手段に記憶された地点間情報に従って取得し、取得した地点のうち１つをランダムに選択し、次地点とする次地点決定手段と、
決定された次地点に関する情報を取得して、出力する出力手段と、
を有することを特徴とするナビゲーションシステム。
【請求項２】
前記予め定められた閾値は、自地点からの移動が最も容易である地点の重み値に基づいて設定されることを特徴とする請求項１記載のナビゲーションシステム。
【請求項３】
前記次地点決定手段は、前記重み値が予め定められた特定値である地点を取得したときは、該地点を次地点として決定することを特徴とする請求項１又は２記載のナビゲーションシステム。
【請求項４】
前記出力手段は、決定された次地点に関する情報を音声として出力することを特徴とする請求項１乃至３のいずれか１項に記載のナビゲーションシステム。
【請求項５】
前記地点間情報記憶手段は、前記利用者が選択可能なコースごとに地点間情報を記憶し、
次地点決定手段は、前記利用者が選択したコースに応じた地点間情報の重み値を取得することを特徴とする請求項１乃至４のいずれか１項に記載のナビゲーションシステム。
【請求項６】
前記利用者は、前記コースに関する情報、出力される言語に関する情報並びにシステムで決定された地点及び実際に回遊した地点に関する情報を記録する記録媒体を携行し、
前記記録媒体に記録された情報を読み込む記録媒体入力手段と、
自地点及び前記次地点決定手段で決定された次地点に関する情報をそれぞれ前記記録媒体に書き込む記録媒体出力手段と、
を有し、
前記次地点決定手段は、前記記録媒体に記録された実際に回遊した地点に関する情報から、既に回遊した地点を除いて次地点を決定し、
前記出力手段は、前記記録媒体に記録された出力される言語に関する情報に応じた言語で出力することを特徴とする請求項５記載のナビゲーションシステム。
【請求項７】
所定の地域又は施設における複数の地点それぞれに設置され、該複数の地点を回遊する利用者に指示を与えるコンピュータが読み取り可能なナビゲーションシステム用プログラムであって、
各地点間の移動容易性を示す重み値をそれぞれ記憶する地点間情報記憶手段を有する前記コンピュータに、
自地点からの移動が、予め定められた閾値より容易である地点を、前記地点間情報記憶手段に記憶された地点間情報に従って取得し、取得した地点のうち１つをランダムに選択し、次地点とする次地点決定ステップと、
決定された次地点に関する情報を取得して、出力する出力ステップと、
を実行させることを特徴とするナビゲーションシステム用プログラム。
【発明の詳細な説明】
【技術分野】
【０００１】
本発明は、所定の地域又は施設における複数の地点を回遊する利用者に指示を与えるナビゲーション技術に関し、特に、観光地を回遊する際の観光ナビゲーションに好適に適用できるものである。
【背景技術】
【０００２】
近年、ＧＰＳ（Global Positioning System）を用いた観光ガイドシステムが普及しており、利用者はＰＤＡ（Personal Digital Assistant）などのモバイル端末を携行していれば、観光地において目的地までの地図が表示される道案内情報や飲食店などの店舗情報などを簡単に取得することができるようになっている（例えば、非特許文献１及び非特許文献２参照）。これにより、利用者は、知らない土地であっても迷うことなく安心して旅行を楽しむことができるようになっている。
【非特許文献１】株式会社クリエイト・クルーズ、 “京都東山散策“ナビ”実験、PDAで観光ガイド、GPSで道案内までお店情報も提供、オムロン子会社などが年内にも実用化”、[Online]、［平成１６年３月２０日検索］、インターネット＜ＵＲＬ：http://www.c-crews.co.jp/gnext_express/news/back/0303/030303_04.html＞
【非特許文献２】ソニーマーケティング株式会社、 “ソニーの街歩きナビＬｅｐｌａｎ”、[Online]、［平成１６年３月２０日検索］、インターネット＜ＵＲＬ：http://www.leplan.jp/＞
【発明の開示】
【発明が解決しようとする課題】
【０００３】
しかしながら、従来の観光ナビゲーションシステムは、訪れたい観光スポットが予め決まっている場合や予め決められたコースに沿って観光スポットを回遊する場合には、最適なツールとなり得るが、利用者がオリエンテーリングなどの要素を取り入れたゲーム感覚で観光地を回りたい場合には、物足りなさを感じるという問題がある。
【０００４】
また、観光協会など観光情報を提供する側としては、利用者（観光客）の導線をある程度コントロールしたいという要望がある（例えば、イベント実施時においては、確実にＡ地点とＢ地点は訪れて欲しいなど）。
【０００５】
さらに、利用者が携行するモバイル端末は、操作が容易で軽くなってきているものの、老人やコンピュータ機器に不慣れな者にとってはできれば携行したくないという問題もある。
【０００６】
本発明は、上記の事情を鑑みてなされたものであり、モバイル端末を携行しなくてもナビゲーションの対象となる所望の地域又は施設をゲーム感覚で楽しみながら回遊できるとともに、情報提供側の意思を利用者の回遊順路に反映可能なナビゲーションシステム及びナビゲーションシステム用プログラムを提供することを目的とする。
【課題を解決するための手段】
【０００７】
上記目的を達成するため、請求項１記載の本発明は、所定の地域又は施設における複数の地点それぞれに設置され、該複数の地点を回遊する利用者に指示を与えるナビゲーションシステムであって、各地点間の移動容易性を示す重み値をそれぞれ記憶する地点間情報記憶手段と、自地点からの移動が、予め定められた閾値より容易である地点を、前記地点間情報記憶手段に記憶された地点間情報に従って取得し、取得した地点のうち１つをランダムに選択し、次地点とする次地点決定手段と、決定された次地点に関する情報を取得して、出力する出力手段と、を有することを特徴とする。
【０００８】
請求項２記載の本発明は、請求項１記載の発明において、前記予め定められた閾値は、自地点からの移動が最も容易である地点の重み値に基づいて設定されることを特徴とする。
【０００９】
請求項３記載の本発明は、請求項１又は２記載の発明において、前記次地点決定手段は、前記重み値が予め定められた特定値である地点を取得したときは、該地点を次地点として決定することを特徴とする。
【００１０】
請求項４記載の本発明は、請求項１乃至３のいずれか１項に記載の発明において、前記出力手段は、決定された次地点に関する情報を音声として出力することを特徴とする。
【００１１】
請求項５記載の本発明は、請求項１乃至４のいずれか１項に記載の発明において、前記地点間情報記憶手段は、前記利用者が選択可能なコースごとに地点間情報を記憶し、次地点決定手段は、前記利用者が選択したコースに応じた地点間情報の重み値を取得することを特徴とする。
【００１２】
請求項６記載の本発明は、請求項５記載の発明において、前記利用者は、前記コースに関する情報、出力される言語に関する情報並びにシステムで決定された地点及び実際に回遊した地点に関する情報を記録する記録媒体を携行し、前記記録媒体に記録された情報を読み込む記録媒体入力手段と、自地点及び前記次地点決定手段で決定された次地点に関する情報をそれぞれ前記記録媒体に書き込む記録媒体出力手段と、を有し、前記次地点決定手段は、前記記録媒体に記録された実際に回遊した地点に関する情報から、既に回遊した地点を除いて次地点を決定し、前記出力手段は、前記記録媒体に記録された出力される言語に関する情報に応じた言語で出力することを特徴とする。
【００１３】
請求項７記載の本発明は、所定の地域又は施設における複数の地点それぞれに設置され、該複数の地点を回遊する利用者に指示を与えるコンピュータが読み取り可能なナビゲーションシステム用プログラムであって、各地点間の移動容易性を示す重み値をそれぞれ記憶する地点間情報記憶手段を有する前記コンピュータに、自地点からの移動が、予め定められた閾値より容易である地点を、前記地点間情報記憶手段に記憶された地点間情報に従って取得し、取得した地点のうち１つをランダムに選択し、次地点とする次地点決定ステップと、決定された次地点に関する情報を取得して、出力する出力ステップと、を実行させることを特徴とする。
【発明の効果】
【００１４】
本発明によれば、モバイル端末を携行しなくてもナビゲーションの対象となる所望の地域又は施設をゲーム感覚で楽しみながら回遊できるとともに、情報提供側の意思を利用者の回遊順路に反映可能なナビゲーションシステム及びナビゲーションシステム用プログラムを提供することができる。
【発明を実施するための最良の形態】
【００１５】
以下、本発明の実施の形態を図面を用いて説明する。
【００１６】
図１は、本発明の実施の形態に係る観光ナビゲーションシステム１の設置状況及び概略構成を示している。図１に示す観光ナビゲーションシステム１は、コンピュータ本体１１、並びにコンピュータ本体１１に接続されたＩＣ（Integrated Circuit）カードリーダ１２及びスピーカ１３を備えて、観光地の各地点に設置されている。ここで、この観光地を回遊する利用者ｕは、予めＩＣカード２を保持し（購入もしくは貸与）、このＩＣカード２を携行しつつ各地点を訪れ、各地点で観光ナビゲーションシステム１にＩＣカード２を読み取らせる。これにより、観光ナビゲーションシステム１は、各地点間の移動容易性を示す重み値を用いた所定のアルゴリズムに従って次に訪れる地点を決定し、利用者ｕに次に訪れる地点のヒント情報を提供するようになっているので、利用者ｕは、このヒント情報を参考に次の地点に向かうものである。
【００１７】
コンピュータ本体１１は、利用者ｕがＩＣカード２をＩＣカードリーダ１２に接触させると、ＩＣカードリーダ１２が読み取ったＩＣカード２の内容を取得するようになっている。ここで、ＩＣカード２に記憶されるデータは、例えば、図２に示すように、カード用途コード２１、制作年月日２２、ポイント数２３、最新更新日２４、選択コース番号２５、選択言語２６、回遊する各地点に関する情報（回遊履歴情報ともいう）２７を具備する構成となっている。さらに詳しくは、回遊履歴情報２７は、複数の計画地点及び実績地点の番号を管理するようになっており、例えば、計画地点ｎには、観光ナビゲーションシステム１により決定されたｎ番目に訪れるべき地点の番号、実績地点ｎには実際にｎ番目に訪れた地点の番号が記憶されるようになっている。尚、計画地点１及び実績地点１は出発地点である。また、ＩＣカード２は、利用者ｕが購入した（又は貸与された）最初の状態においては、回遊履歴情報２７は初期化されているが、回遊するコース（例えば、具体的には、一般観光ルート半日コース、一般観光ルート１日コース、ロケ地巡り観光コースなど）や言語（例えば、日本語、英語、中国語、ハングル語など）は選択済みであるため、選択コース番号２５や選択言語２６は設定されているものである。
【００１８】
そして、コンピュータ本体１１は、読み取ったＩＣカード２の選択コース番号２５に従って、次に訪れる地点を決定するようになっている。ここで、次に訪れる地点を決定するアルゴリズムについて詳しく説明する。図３（ａ）は、図４に示すような地図の１２箇所の各地点を回遊するコースを選択した際に参照される地点間情報記憶テーブルｄｂ１の一具体例を示している。
【００１９】
地点間情報記憶テーブルｄｂ１は、各コースごとに各地点間の移動容易性を示す重み値ｄij（ｉ，ｊ＝１，２，…，１２；ｄijは、地点ｉから地点ｊに行く場合の重み値を示す）を記憶しているもので、重み値ｄｉｊは小さいほど移動が容易（例えば、近い、道が平坦であるなど）であることを示している。従って、平地など双方向の条件が同じであれば、重み値ｄｉｊと重み値ｄｊｉは同じとなるが（例えば、ｄ１２＝ｄ２１）、坂道等一方向に対して何らかの障害がある場合には、図３の灰色部に示すように、重み値ｄｉｊと重み値ｄｊｉは数値が異なってくる（例えば、ｄ１９≠ｄ９１）。尚、重み値ｄｉｊは上述したような客観的な状況を反映するだけでなく、情報提供側の意図など主観的な状況も含んだ数値としてもよいものである。
【００２０】
コンピュータ本体１１は、まず、自地点の番号ｉ（観光ナビゲーションシステム１が設置された地点の番号）を取得して、現地点を地点ｉと設定して地点間情報記憶テーブルｄｂ１を参照し、最小の重み値ｄMINijを取得する。例えば、自地点が地点１である場合には、地点２の４５を取得する。次に、コンピュータ本体１１は、予め定められた係数ｋを取得して、ｄMINijとｋの乗算値ｄａを閾値として、該閾値ｄａ以下の数値を有する地点を抽出する。例えば、自地点が地点１、ｋ＝２である場合には、図５（ａ）に示すように、４５×２の＝９０以下の地点２及び４が抽出される。最後に、コンピュータ本体１１は、ランダム関数ｆを用いて、この抽出された候補地点から１地点をランダムに決定する。例えば、自地点が地点１である場合には、地点２及び地点４からランダム関数ｆによって地点２が選択されるとする。尚、上述した自地点の番号ｉ、係数ｋ、及びランダム関数ｆは、予めコンピュータ本体１１の所定の記憶部ｍ１に記憶されているものである。
【００２１】
また、次地点を決定する際には、既に回遊した地点は除くようになっている。例えば、図５（ｂ）に示すように、自地点が地点２である場合には、上述したアルゴリズム（同様に係数ｋ＝２とする）のもと、次地点は地点１、３、４、５、１１及び１２が候補となるが、既に地点１を回遊している場合には、上記の候補地点から地点１は除かれ、地点３、４、５、１１及び１２が候補となるものである。尚、既にその地点を訪れているか否かは、ＩＣカード２に記憶された回遊履歴情報２７の実績地点の番号を読み取ることにより判断するものである。
【００２２】
さらに、次地点を決定する際には、数値が０の地点がある場合には、この地点を優先して次地点に決定するようになっている。例えば、図５（ｃ）に示すように、自地点が地点４である場合には、上述したアルゴリズムを適用せず、次地点は５と決定されるものである。
【００２３】
このように、次に訪れる地点を決定するアルゴリズムは、現地点から次地点に対する重み値ｄｉｊの最小値及び適当な値の係数ｋを用いることで、遠くの地点を次地点から排除するとともに、次地点候補となった地点に関しては、ランダム関数を使用して決定するので、次地点として妥当な場所がその都度変化をもって決定されるようになっている。また、既に回遊した地点に関する回遊履歴情報をＩＣカード２に蓄積しているので、同じ地点を再び訪れることがないようになっている。さらに、重み値ｄｉｊが０の地点は確実に次地点とすることができるので、情報提供側の意図を反映した導線管理も可能となっている。
【００２４】
尚、コンピュータ本体１１は、上述した重み値ｄｉｊを適用する期間に関する情報を記憶するテーブルを保持していてもよく、例えば、図３（ｂ）に示すような期間情報テーブルｄｂ２を備えて、重み値ｄｉｊをさらに期間で細分化して管理するようにしてもよい。また、遠くの地点を次地点から排除する方法は、現地点から次地点に対する重み値ｄｉｊの最小値及び適当な値の係数ｋを用いる方法に限定されず、例えば、所定の定数を閾値とし、この閾値との比較により判断してもよいものである。
【００２５】
尚、各コースに関する基本的な情報（例えば、開始地点、終了地点、及び回遊地点数などに関する情報）は所定の記憶部ｍ１に記憶されており、後述するように、自地点を開始地点又は終了地点と判断する際に参照されるようになっている。
【００２６】
また、コンピュータ本体１１は、このようにして決定された次地点の番号を計画地点ｎ＋１欄に（例えば、観光ナビゲーションシステム１が設置された地点をｎ番目に訪れたとした場合）、自地点の番号を実績地点ｎ欄に設定して、ＩＣカード２の回遊履歴情報２７を更新するようになっている。
【００２７】
さらに、コンピュータ本体１１は、このようにして決定された次地点に関するヒント情報を音声としてスピーカ１３を介して出力するようになっている。ここで、ヒント情報に関しては、所定の複数の言語それぞれと対応付けられたヒント情報が、予め、所定の記憶部ｍ１に記憶されているものであり、コンピュータ本体１１は、ＩＣカード２に記憶された選択言語２６に基づいて所望の言語のヒント情報を取得するようになっている。尚、コンピュータ本体１１は、自地点に関する説明（例えば、名所、旧跡、展示物などの説明）を音声としてスピーカ１３を介して出力してもよいのは勿論である。
【００２８】
尚、以上に述べた観光ナビゲーションシステム１のコンピュータ本体１１は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、主記憶装置の他、ハードディスクなどの補助記憶装置を具備していてもよい。
【００２９】
このうち、地点間情報記憶テーブルｄｂ１、所定の記憶部ｍ１及び期間情報テーブルｄｂ３は、上記主記憶装置及び補助記憶装置の機能を備えたものである。また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００３０】
次に、本実施の形態に係る観光ナビゲーションシステム１の動作について、図６を用いて説明する。
【００３１】
まず、観光ナビゲーションシステム１が、ＩＣカードリーダ１２を介してＩＣカード２の内容を読み取ると、観光ナビゲーションシステム１は、自地点が開始地点、終了地点、開始地点・終了地点以外かを判断する（ステップＳ１０，Ｓ２０）。これは、所定の記憶部ｍ１に記憶された情報から、ＩＣカード２の選択コース２５欄に記憶されたコース番号に関する情報を取得して、開始地点及び終了地点を判断するものである。
【００３２】
ステップＳ２０において、観光ナビゲーションシステム１が自地点を開始地点と判断した場合には、回遊履歴情報２７の計画地点１及び実績地点１それぞれに自地点の番号を設定し、ＩＣカード２を更新する（ステップＳ３０）。次いで、上述した次地点決定アルゴリズムに従って、次地点を決定し、該次地点の番号を回遊履歴情報２７の計画地点２に設定し、ＩＣカード２を更新する（ステップＳ４０，Ｓ５０）。そして、決定した次地点に関する所望の言語のヒント情報を取得すると、スピーカ１３を介して音声出力する（ステップＳ６０）。
【００３３】
また、ステップＳ２０において、観光ナビゲーションシステム１が自地点（例えば、ｋ番目に訪れた地点であるとする）を開始地点又は終了地点でないと判断した場合には、回遊履歴情報２７の実績地点ｋに自地点の番号を設定し、ＩＣカード２を更新する（ステップＳ７０）。次いで、上述した次地点決定アルゴリズムに従って、次地点を決定し、該次地点の番号を計画地点ｋ＋１に設定し、ＩＣカード２を更新する（ステップＳ８０，Ｓ９０）。そして、決定した次地点に関する所望の言語のヒント情報を取得すると、スピーカ１３を介して音声出力する（ステップＳ１００）。
【００３４】
また、ステップＳ２０において、観光ナビゲーションシステム１が自地点を終了地点と判断した場合には、実績地点Ｎ（Ｎ箇所の地点を回遊するコースであったとする）に自地点の番号を設定し、ＩＣカード２を更新する（ステップＳ１１０）。次いで、所定のルールに従って、ポイントを集計し、ＩＣカード２のポイント数２３欄を更新するとともに、スピーカ１３を介して獲得したポイント数を出力する（ステップＳ１２０，Ｓ１３０）。ここで、所定のルールとは、例えば、観光ナビゲーションシステム１が設定した通りのコースに従って回遊したかどうか、具体的には、回遊履歴情報２７の計画地点及び実績地点の番号が各順番において一致するか否か、を検証するもので、１地点正解するごとに１ポイントずつ加算するものである。
【００３５】
この結果、利用者ｕは、獲得したポイント数を把握できるので、例えば、一定のポイント数に達している場合には、景品と交換できたりするものである。尚、上述したポイント算出及び算出したポイント数に対する利用者ｕへの対応は一例であり、その他の方法により、利用者ｕに観光地回遊の付加価値を提供してよいのは勿論である。
【００３６】
従って、本実施の形態に係る観光ナビゲーションシステム１によれば、モバイル端末を携行しなくてもナビゲーションの対象となる所望の地域及び施設をゲーム感覚で楽しみながら回遊できるとともに、情報提供側の意思を利用者の回遊順路に反映可能なナビゲーションシステム及びナビゲーションシステム用プログラムを提供することができる。
【００３７】
この結果、観光地は、マンネリ化を防止でき、リピータの観光客を確保することができる。また、イベント等がある場合には、所望の場所を通過させることが可能なので、高い集客力が期待できるとともに、混雑緩和にも役立てることができる。さらに、複数の言語を用意しているので、日本人だけでなく、外国人の観光客にも対応できる。
【００３８】
以上、本発明の実施の形態について説明してきたが、本発明の要旨を逸脱しない範囲において、本発明の実施の形態に対して種々の変形や変更を施すことができる。例えば、上記実施の形態においては、本発明を観光ナビゲーションシステム１に適用したが、本発明はこれに限定されるものではなく、他のナビゲーションシステム、例えば、テーマパークにおいて各アトラクションをナビゲーションするシステム、展示会や各種フェアなどにおいて各展示室や各ブースをナビゲーションするシステムなどにも適用可能なものである。
【００３９】
また、上記実施の形態においては、ＩＣカード２に回遊履歴情報が蓄積されるようになっていたが、本発明はこれに限定されず、利用者ｕがＩＣカード２を携行しない場合を想定してもよいものである。この場合には、回遊履歴管理、ポイント管理などを行えないが、自地点において次地点に関するヒント情報を出力するだけのシンプルな構成の観光ナビゲーションシステムを提供することができる。
【００４０】
また、上記実施の形態においては、ＩＣカード２は時間に関する情報を管理していなかったが、さらに各地点を回遊した時刻を実績地点ｎの情報として管理して、時間による要素を加味してポイント計算をしてもよいものである。また、ＩＣカード２はヒント情報のレベル（難しい、普通、簡単、地名そのままなど）を管理して、利用者ｕが選択したレベルに応じたヒント情報を出力してもよい。
【００４１】
さらに、終了地点においては、ＩＣカード２に記録された回遊履歴情報２７を観光ナビゲーションシステム１上に蓄積させ、この蓄積された各利用者ｕの回遊履歴情報２７を統計処理して、利用者ｕの行動分析をしてもよいものである。そして、この結果に基づいて、地点間情報記憶テーブルｄｂ１の重み値を見直して、変更するようにしてもよい。
【図面の簡単な説明】
【００４２】
【図１】本発明の実施の形態に係る観光ナビゲーションシステムの概略構成図である。
【図２】本発明の実施の形態に係る観光ナビゲーションシステムに用いられるＩＣカードに記録される情報の一例である。
【図３】本発明の実施の形態に係る観光ナビゲーションシステムに用いられる地点間情報記憶テーブル及び期間情報テーブルの一例である。
【図４】本発明の実施の形態に係る観光ナビゲーションシステムを適用したある地域の各地点を示す地図である。
【図５】本発明の実施の形態に係る観光ナビゲーションシステムにおいて次スポットを決定するアルゴリズムを説明する図である。
【図６】本発明の実施の形態に係る観光ナビゲーションシステムの動作を説明するフローチャートである。
【符号の説明】
【００４３】
１  観光ナビゲーションシステム
２  ＩＣカード
１１  コンピュータ
１２  ＩＣカードリーダ
１３  スピーカ
２１  カード用途コード
２２  制作年月日
２３  ポイント数
２４  最新更新日
２５  選択コース番号
２６  選択言語
２７  回遊履歴情報
ｄｂ１  地点間情報記憶テーブル
ｄｂ２  期間情報記憶テーブル
ｄｉｊ  重み値
【図１】
2005293498.tif 000003
【図２】
2005293498.tif 000004
【図３】
2005293498.tif 000005
【図４】
2005293498.tif 000006
【図５】
2005293498.tif 000007
【図６】
2005293498.tif 000008